(57)【要約】【課題】インクジェット記録装置のヘッドを小型化するとともに、ヘッド設計の自由度を向上させる。【解決手段】ヘッド部21,31は、インクを吐出するインク吐出口群23,33を有する。ヘッド部21,31は、キャリッジ１に載置されている。ヘッド部21,31に電気的に接続された制御回路部14も、キャリッジ１に載置されている。第１のフレキシブルケーブル18で、本体の制御回路と制御回路部14とを電気的に接続する。第２のフレキシブルケーブル15で、制御回路部14とヘッド部21,31とを電気的に接続する。インクジェト記録装置のヘッド部と制御回路部を分離したので、ヘッド部を小さくでき、ヘッド部とキャリッジとを小型化できる。ヘッドの交換と共に廃棄されていた制御回路部を、ヘッド交換に関わらず、半永久的に使用することができ、ヘッド部のコストを削減できる。【選択図】図１
2004066836.tif 000002
【特許請求の範囲】
【請求項１】
インクを吐出するインク吐出口群を有するヘッド部とインクを収容するインク収容部とを備えたカートリッジと、前記カートリッジを載置するキャリッジと、前記ヘッド部に電気的に接続された制御回路部と、前記キャリッジの外側の面から内部に向かって設けられ、本体の制御回路から前記制御回路部に接続される第１の接続手段と、前記制御回路部と前記ヘッド部とを電気的に接続する第２の接続手段とを備え、前記制御回路部は、前記キャリッジの外側の面と前記カートリッジとの間に設けられていることを特徴とするインクジェット記録装置。
【請求項２】
インクを吐出するインク吐出口群を有するヘッド部とインクを収容するインク収容部とを備えたカートリッジと、内側の面と前記内側の面と反対側に外側の面とを備え、前記内側の両側に前記カートリッジを保持するキャリッジと、前記キャリッジの外側の面と前記カートリッジとの間に設けられた制御回路部と、本体の制御回路と前記制御回路部とを接続する第１の接続手段と、前記制御回路部と前記ヘッド部とを電気的に接続する第２の接続手段とを備えたことを特徴とするインクジェット記録装置。
【請求項３】
インクを吐出するインク吐出口群を有するヘッド部とインクを収容するインク収容部とを備えたカートリッジと、カートリッジホルダを介して前記カートリッジを内部に保持するキャリッジと、前記キャリッジの内部に設けられた制御回路部と、本体の制御回路と前記制御回路部とを接続する第１の接続手段と、前記制御回路部と前記ヘッド部とを電気的に接続する第２の接続手段とを備えたことを特徴とするインクジェット記録装置。
【請求項４】
前記第２の接続手段は、前記キャリッジに沿って設けられていることを特徴とする請求項１〜３のいずれかに記載のインクジェット記録装置。
【請求項５】
前記第２の接続手段は、前記キャリッジに沿って曲がった状態で、前記制御回路部と前記カートリッジとを電気的に接続することを特徴とする請求項１〜４のいずれかに記載のインクジェット記録装置。
【請求項６】
前記カートリッジは、前記ヘッド部と前記インク収容部とが一体に形成されていることを特徴とする請求項１〜５のいずれかに記載のインクジェット記録装置。
【請求項７】
前記カートリッジのヘッド部を塞ぐシャッタを備えたことを特徴とする請求項１〜６のいずれかに記載のインクジェット記録装置。
【請求項８】
前記第１の接続手段をフレキシブルケーブルとしたことを特徴とする請求項１〜７のいずれかに記載のインクジェット記録装置。
【請求項９】
前記第２の接続手段をフレキシブルケーブルとしたことを特徴とする請求項１〜８のいずれかに記載のインクジェット記録装置。
【請求項１０】
インクを吐出するインク吐出口群を有するヘッド部とインクを収容するインク収容部とを備えるカートリッジと、カートリッジホルダを介して前記カートリッジを内部に保持するキャリッジと、前記キャリッジの内部に設けられた制御回路部と、本体の制御回路と前記制御回路部とを電気的に接続する第１の接続手段と、前記制御回路部と前記ヘッド部とを電気的に接続する第２の接続手段とを具備するインクジェット記録装置であって、前記第１の接続手段と前記制御回路部との第１の接続部と前記第２の接続手段と前記ヘッド部との第２の接続部とをともに前記キャリッジの内部に設けたことを特徴とするインクジェット記録装置。
【請求項１１】
インクを吐出するインク吐出口群を有するヘッド部と、インクを収容するインク収容部と、前記ヘッド部と前記インク収容部とを備えたキャリッジと、前記ヘッド部に電気的に接続された制御回路部と、前記キャリッジの外側の面から内部に向かって設けられ、本体の制御回路から前記制御回路部に接続される第１の接続手段と、前記制御回路部と前記ヘッド部とを電気的に接続する第２の接続手段とを備え、前記制御回路部は、前記キャリッジの外側の面と前記インク収容部との間に設けられていることを特徴とするインクジェット記録装置。
【請求項１２】
インクを吐出するインク吐出口群を有するヘッド部と、インクを収容するインク収容部と、内側の面と前記内側の面と反対側に外側の面とを備え、前記内側の面側に前記ヘッド部と前記インク収納部とを備えたキャリッジと、前記キャリッジの外側の面と前記インク収容部との間に設けられた制御回路部と、本体の制御回路と前記制御回路部とを接続する第１の接読手段と、前記制御回路部と前記ヘッド部とを電気的に接続する第２の接続手殴とを備えたことを特徴とするインクジェット記録装置。
【請求項１３】
インクを吐出するインク吐出口群を有するヘッド部と、インクを収容するインク収容部と、前記インク収容部を支持する支持部を介して前記インク収容部を内部に備えたキャリッジと、前記キャリッジの内部に設けられた制御回路部と、本体の制御回路と前記制御回路部とを接続する第１の接続手段と、前記制御回路部と前記ヘッド部とを電気的に接続する第２の接続手段とを備えたことを特徴とするインクジェット記録装置。
【発明の詳細な説明】
【技術分野】
【０００１】
　本発明は、インクジェット記録装置に関し、特に、情報機器の端末装置などに用いられるインクジェット記録装置に関する。
【背景技術】
【０００２】
　近年、コンピュータの形態がデスクトップ型からラップトップ型やノートサイズ型へと小型化するのに伴い、プリンタも携帯性に優れ、小型であることが要求されている。このような状況下で、使い捨てタイプのインクカートリッジ一体型ヘッドを使ったインクジェットプリンタは、使い勝手の良さ、プリンタの小型化が容易であるという理由から、ラップトップ型およびノートサイズ型コンピュータ用のプリンタとして注目を集めている。従来のインクジェットプリンタの例としては、特許文献１に開示された記録装置がある。
【０００３】
　従来のインクジェットプリンタは、図５に示すように、モノクロ用のインクカートリッジ一体型ヘッド（以下「カートリッジ」と言う）２とマルチカラー用カートリッジ３とを装着したキャリッジ１と、印字時にキャリッジ１を印字用紙７上の所定位置に動かすベルト51と、その駆動源となるモータ５と、キャリッジ１の移動方向をガイドするシャフト61,62と、印字の不実施時にカートリッジ２,３のヘッド21,31をそれぞれキャッピングするキャップ42,43と、そのためにキャップ42,43をヘッド21,31に押し付けるキャップホルダ４とを備えている。
【０００４】
　カートリッジ２,３は、印字ヘッド21,31の他に、インク貯蔵部と、駆動信号を受入れるための電気的接点とを含んでおり、インクが無くなった時に取替えることができるように、着脱可能に構成されている。印字を実施していない時は、キャリッジ１は待機位置にあり、ヘッド21,31のインク突出口の乾燥および目詰まり防止のために、キャップホルダ４がＡの向きへ動いて、キャップ42,43をヘッド21,31に押し付け、キャッピングを行う。印字を行う時には、キャップホルダ４がＡと逆向きに動いて、ヘッド21,31を覆っていたキャップ42,43が外され、キャリッジ１は、ベルト51およびモータ５の働きにより、シャフト61,62に沿って往復運動しながら、用紙７に対して印字を行う。
【０００５】
　カートリッジ２のヘッド21は、例えば48個のノズルを持つことにより、モノクロの文字フォントを、１回のキャリッジ１の走査で印字可能である。カートリッジ３はマルチカラー用で、インク貯蔵部がイエロー、マゼンタ、シアンの３つのインクに対応して３つに分割されており、それに対応して、ヘッド31の48個のノズルも３つに分割されている。したがって、マルチカラーの文字フォントを、３回のキャリッジ１の走査で印字することができる。
【特許文献１】特開平3-234692号公報
【発明の開示】
【発明が解決しようとする課題】
【０００６】
　しかしながら、従来のインクジェット記録装置では、制御回路部がカートリッジに設けられていたので、カートリッジが大型化するという問題があった。
【０００７】
　本発明は、上記従来の問題を解決して、カートリッジを小型化することができ、高い信頼性と製造もメンテナンスも容易なインクジェット記録装置を提供することを目的とする。
【課題を解決するための手段】
【０００８】
　上記の課題を解決するために、本発明では、インクジェット記録装置を、インクを吐出するインク吐出口群を有するヘッド部とインクを収容するインク収容部とを備えたカートリッジと、カートリッジを載置するキャリッジと、ヘッド部に電気的に接続された制御回路部と、キャリッジの外側の面から内部に向かって設けられ、本体の制御回路から制御回路部に接続される第１の接続手段と、制御回路部とヘッド部とを電気的に接続する第２の接続手段とを備え、制御回路部は、キャリッジの外側の面とカートリッジとの間に設けられている構成とした。
【０００９】
　このように構成したことにより、カートリッジに制御回路部がない分だけカートリッジの大きさを小さくすることができ、キャリッジには比較的スペースに余裕があり、形状の自由度も大きいので、カートリッジの小型化に伴うキャリッジの小型化を妨げないように、制御回路部を搭載することが可能となる。したがって、カートリッジとキャリッジとを全体として小型化することができ、ひいては、インクジェット記録装置の小型化も可能になる。さらに、カートリッジから比較的高価な制御回路部をなくして、キャリッジに設けたことにより、従来カートリッジの交換と共に廃棄されていた制御回路部を、カートリッジ交換に関わらず、半永久的に使用することができる。それに関連して、カートリッジのコストを削減できる。
【００１０】
　また、カートリッジを脱着する場合に、ユーザが触り易いカートリッジ表面に接点が露出しており、着脱時にユーザが簡単に接点に触れられるのに対して、キャリッジでは、少なくとも脱着作業は発生せず、またユーザの手に触れ難い部分に接点を持ってくることが容易であり、更に、表面に露出させないよう内側等に設けることも可能であるので、ユーザが接点に触れた際、発生する静電気等の影響で制御回路部が破壊されることも容易に防止することができる。
【００１１】
　さらに、装置本体からの制御信号を伝達する信号線を、第１の接続手段と第２の接続手段とに分け、各接続手段をフレキシブルケーブルとしたことにより、一本の長い信号線をヘッド近傍まで引き込む場合に比べて、信号線の取付作業の作業性を向上させることができる。
【発明の効果】
【００１２】
　本発明では、インクジェット記録装置を、インクを吐出するインク吐出口群を有するヘッド部とインクを収容するインク収容部とを備えたカートリッジと、カートリッジを載置するキャリッジと、ヘッド部に電気的に接続された制御回路部と、キャリッジの外側の面から内部に向かって設けられ、本体の制御回路から制御回路部に接続される第１の接続手段と、制御回路部とヘッド部とを電気的に接続する第２の接続手段とを備え、制御回路部は、キャリッジの外側の面とカートリッジとの間に設けられている構成としたので、ヘッドから制御回路部を分離することができ、ヘッドに制御回路部がない分だけヘッドの大きさを小さくすることができるという効果が得られる。ヘッドとキャリッジとを全体として小型化することができ、インクジェット記録装置の小型化も可能になるという効果が得られる。ヘッドの交換と共に廃棄されていた制御回路部を、ヘッド交換に関わらず半永久的に使用することができ、ヘッドのコストを削減できるという効果が得られる。また、制御回路部の接点をユーザが触れないようにできるので、静電気で破壊されることを防止できる。さらに、装置本体からの制御信号を伝達する信号線を、第１の接続手段と第２の接続手段とに分けたことにより、一本の長い信号線をヘッド近傍まで引き込む場合に比べて、信号線の取付作業の作業性を向上させることができる。
【００１３】
　また、キャリッジの内側の両側にカートリッジを保持し、キャリッジの外側の面とカートリッジとの間に制御回路部を設けたことにより、制御回路部の接点をユーザが触れないようにできるので、静電気で破壊されることを防止できる。
【００１４】
　また、キャリッジの内部にカートリッジホルダを介してカートリッジを保持し、キャリッジの内部に制御回路部を設けたことにより、制御回路部の接点をユーザが触れないようにできるので、静電気で破壊されることを防止できる。
【００１５】
　また、第２の接続手段がキャリッジに沿って設けられていることにより、キャリッジの動作に伴って、第２の接続手段が動いてしまう問題の発生を最小限に抑制することができるので、第２の接続手段の接続部分が外れたりすることが少ない信頼性の高いインクジェットプリンタを実現できる。また、カートリッジの着脱時に、第２の接続手段が邪魔になることが少なくなり、カートリッジの着脱が容易にできる。
【００１６】
　また、第２の接続手段がキャリッジに沿って曲がった状態で、制御回路部とカートリッジとを電気的に接続することにより、第２の接続手段のヘッド部との接続部分にかかる張力を軽減することができるので、第２の接続手段の接続部分が外れたりすることが少ない信頼性の高いインクジェット記録装置を実現できる。
【００１７】
　また、カートリッジが、ヘッド部とインク収容部とが一体に形成されていることにより、ヘッド交換とインク交換を同時に行うことができるので、メンテナンス性の高いインクジェット記録装置を実現できる。
【００１８】
　また、カートリッジのヘッド部を塞ぐシャッタを備えたことにより、ヘッド部に設けられているノズルの乾燥や目詰まり等を抑制できるので、常に高品質な印字が可能な信頼性の高いインクジェット記録装置を実現できる。
【００１９】
　また、第１の接続手段と制御回路部との第１の接続部と第２の接続手段とヘッド部との第２の接続部とをともにキャリッジの内部に設けたことにより、制御回路部の接点をユーザが触れないようにできるので、静電気で破壊されることを防止できる。
【００２０】
　また、インクジェット記録装置を、インクを吐出するインク吐出口群を有するヘッド部と、インクを収容するインク収容部と、ヘッド部とインク収容部とを備えたキャリッジと、ヘッド部に電気的に接続された制御回路部と、キャリッジの外側の面から内部に向かって設けられ、本体の制御回路から制御回路部に接続される第１の接続手段と、制御回路部とヘッド部とを電気的に接続する第２の接続手段とを備え、制御回路部は、キャリッジの外側の面とインク収容部との間に設けられている構成としたので、ヘッドから制御回路部を分離してヘッドが小さくなり、ヘッドとインク収容部とキャリッジとを全体として小型化することができ、インクジェット記録装置の小型化も可能になるという効果が得られる。
【００２１】
　また、キャリッジの内側の面側にヘッド部とインク収納部とを備え、キャリッジの外側の面とインク収容部との間に制御回路部を設けたことにより、制御回路部の接点をユーザが触れないようにできるので、静電気で破壊されることを防止できる。
【００２２】
　また、キャリッジの内部にインク収容部を支持する支持部を介してインク収容部を備え、キャリッジの内部に制御回路部を設けたことにより、制御回路部の接点をユーザが触れないようにできるので、静電気で破壊されることを防止できる。
【発明を実施するための最良の形態】
【００２３】
　以下、本発明の実施の形態について、図１〜図４を参照しながら詳細に説明する。
【実施例】
【００２４】
　本発明の実施例は、第１のフレキシブルケーブルで、本体の制御回路とキャリッジ上の制御回路部とを電気的に接続し、第２のフレキシブルケーブルで、制御回路部とヘッド部とを電気的に接続したインクジェット記録装置である。
【００２５】
　図１は、本発明の実施例におけるインクジェット記録装置のキャリッジの正面図である。図１において、キャリッジ１は、カートリッジ２を脱着可能に装着して移動する手段である。カートリッジ２,３は、黒インク24またはイエローインク34とマゼンタインク35とシアンインク36を収容したインク供給手段である。カートリッジホルダ11,12は、２つのカートリッジ２,３を脱着可能に保持する手段である。制御回路部14は、カートリッジを制御する回路である。フレキシブルケーブル15は、制御回路部14とカートリッジ２,３のヘッド部コネクタ16,17との間を接続するケーブルである。ヘッド部コネクタ16,17は、ヘッド部とケーブルを接続するコネクタである。フレキシブルケーブル18は、本体のプリンタ制御回路（図示していない）と制御回路部14との間を接続するケーブルである。
【００２６】
　図２は、インクジェット記録装置の全体形状を示す構成図である。図２において、モータ５は、キャリッジ１を駆動する手段である。ヘッド部21は、印字用紙７に印字するインク吐出口を有する部分である。シャッタ22は、非印字時にヘッド部を保護する手段である。インク受け44は、インクを受ける手段である。その他の構成は、図５で示した従来の装置と変わりがない。
【００２７】
　図３は、インクジェット記録装置の制御部のブロック図である。図３において、印字コントロール部80は、印字動作を制御する手段である。フォントＲＯＭ81は、通常の解像度の文字フォントを格納したメモリである。フォントＲＯＭ82は、倍精度の文字フォントを格納したメモリである。ディザＲＯＭ83は、通常の解像度のグラフィックのパターンを格納したメモリである。ディザＲＯＭ84は、倍精度のグラフィックのパターンを格納したメモリである。ヘッドドライバ87は、ヘッドを駆動する回路である。スイッチ86は、通常解像度と倍精度とを切り換える手段である。紙送りモータ88は、印字用紙を供給するモータである。カートリッジ種類検出部85は、キャリッジに装着されたカートリッジの種類を検出する手段である。ＬＥＤ１,ＬＥＤ２は、検出結果を色の違いで表示する手段である。
【００２８】
　図４は、インクジェット記録装置の制御部による印字モードの制御パターンを示す表である。
【００２９】
　上記のように構成された本発明の実施例におけるインクジェット記録装置の動作を説明する。図１の正面図に示すように、インクジェット記録装置のキャリッジ部は、２つのカートリッジ２、３を脱着可能に保持するカートリッジホルダ11,12と、本体のプリンタ制御回路（図示していない）との間をフレキシブルケーブル18で接続された制御回路部14と、制御回路部14とカートリッジ２、３のヘッド部コネクタ16、17との間を接続するフレキシブルケーブル15とを備えている。
【００３０】
　図２に示すように、ヘッド部21とスライド可能なシャッタ22とインク収容部とインクジェット記録装置本体から駆動信号を受け取るためのコネクタとが一体になったカートリッジ２が、キャリッジ１に脱着可能に装着され、待機位置のヘッド部21と対向する位置にインク受け44が配置されている。また、カートリッジ２,３は、モノクロ用２では黒インク24を収容するためのインク収容部を、また、マルチカラー用３では、マルチカラー印字用のイエローインク34、マゼンタインク35およびシアンインク36を収容するための３つに分割されたインク収容部を備えている。カートリッジ２,３のヘッド部21,31には、インクを吐出するインク吐出口群23,33を備えている。このインク吐出口群23,33は、カートリッジがキャリッジ１に装着されるまでは、シャッタ22,32によって塞がれ、乾燥および目詰まりが防止されている。
【００３１】
　カートリッジ２,３は、キャリッジ１にそれぞれ個別に装着され、カートリッジホルダ11,12により保持される。図１では、上段に黒インク用カートリッジ２、下段にマルチカラーインク用カートリッジ３が装着されている。各カートリッジはそれぞれ独立に着脱可能であり、上段にマルチカラーインク用カートリッジ、下段に黒インク用カートリッジを装着することもできる。上下段とも黒インク用カートリッジまたはマルチカラーインク用カートリッジを装着することもできる。さらに、上下段のどちらか一方のみに黒インク用またはマルチカラーインク用カートリッジを装着して印字することも可能である。つまり、そのときの印字に必要とするカートリッジが選択され、装着される。
【００３２】
　カートリッジを装着した状態で、各カートリッジ２,３の側面のコネクタ16,17がフレキシブルケーブル15の接点と接触し、カートリッジ２,３は、キャリッジ１に搭載された制御回路部14と接続されて印字可能となる。また、この時、装着前にヘッド21,31を覆っていたシャッタ22,32をＢ方向にスライドさせて、ヘッドの封鎖を解除する。シャッタ22,32は、カートリッジの着脱に合わせて機械的に開閉することも可能である。また、ソレイド等のアクチュエータで制御しながら、印字直前にＢ方向にスライドさせ、印字直後にＡ方向にスライドさせて、インク吐出口を塞ぐように構成してもよい。
【００３３】
　印字に当たっては、必要に応じて、待機位置で、インク受け44へのインク吐出が行なわれる。これは、非印字状態が長く続いた場合にインクの粘度が変化し、そのまま印字すると印字品質が劣化することを防止するためである。カートリッジ２,３を装着したキャリッジ１は、ベルト51を介してモータ５の駆動力により、シャフト61,62にガイドされながら印字位置を往復することにより、印字用紙７に対して印字を行う。
【００３４】
　マルチカラーインク用カートリッジ３では、インク収容部がイエローインク34、マゼンタインク35およびシアンインク36の３部屋に別れ、それぞれのインクは、インク吐出口群33のうちの１／３の吐出口、例えば60個の吐出口が有れば20個から吐出される。即ち、上部20個がイエロー、中央の20個がマゼンタ、そして、下部20個がシアンとしての吐出口になる。
【００３５】
　図３に示すように、インクジェット記録装置の制御部は、印字動作を制御する印字コントロール部80と、通常の解像度の文字フォントを格納したフォントＲＯＭ81と、倍精度の文字フォントを格納したフォントＲＯＭ82と、通常の解像度のグラフィックのパターンを格納したディザＲＯＭ83と、倍精度のグラフィックのパターンを格納したディザＲＯＭ84と、ヘッドを駆動するヘッドドライバ87と、通常解像度と倍精度とを切り換えるスイッチ86と、紙送りモータ88と、キャリッジに装着されたカートリッジの種類を検出するカートリッジ種類検出部85と、検出結果を色の違いで表示するＬＥＤ１,ＬＥＤ２とを備えている。
【００３６】
　また、黒カートリッジ２は、内部に検出用の抵抗Ｒ１を備えている。マルチカラーカートリッジ３は、内部に検出用の抵抗Ｒ２を備えている。今、黒カートリッジ２をキャリッジ１に装着すると、装着と同時に、内部の黒インク用の検出抵抗Ｒ１は、一端が電源に接続され、他端が印字コントロール部80および検出用抵抗Ｒ３を介してグランドに接続される。ここで、電源が５Ｖで、Ｒ１が10ＫΩで、Ｒ３が10ＫΩとすると、検出端子Ｉには2.5Ｖの電圧が検出される。
【００３７】
　また、マルチカラーカートリッジ３を装着すると、装着と同時に、内部のマルチカラーインク用の検出抵抗Ｒ２は、一端が電源に接続され、他端が印字コントロール部80および検出用抵抗Ｒ４を介してグランドに接続される。今、電源が５Ｖで、Ｒ４が10ＫΩの時、Ｒ２が15ＫΩであるとすると、検出端子Ｊには２Ｖの電圧が検出される。
【００３８】
　このように、印字コントロール部80では、キャリッジ１にどの種類のカートリッジが装着されたかを、電圧の違いによって検出することができる。なお、検出抵抗Ｒ１,Ｒ２としては、カートリッジに識別用の抵抗を埋め込んでも良いし、導電性インクを検出抵抗として使用してもよい。
【００３９】
　印字コントロール部80は、キャリッジ１に装着されたカートリッジの種類を検出すると共に、切換スイッチ86がオン・オフのいずれに設定されているかを検出して、印字のモードを、図４に示す通りに切り換える。つまり、印字コントロール部80は、一方の種類の１つのカートリッジしか装着されていないことを検出したときは（スイッチ86のオン／オフは無関係）、その種類のカートリッジを用いた通常モードによる印字を実行する。通常モードの場合には、通常解像度の文字を格納したフォントＲＯＭ81および通常解像度のグラフィック・パターンを格納したディザＲＯＭ83からデータを受け取り、ヘッドドライバ87に印字信号を送って印字を行う。
【００４０】
　また、同一種類のカートリッジが２つ装着されていることを検出し、同時にスイッチ86がオフであることを検出したときは、その種類のカートリッジを用いた倍速モードによる印字を実行する。倍速モードの場合には、２つのカートリッジを同時に駆動させ、２行を一緒に印字することにより、印字スピードを２倍に上げる。
【００４１】
　また、同一種類のカートリッジが２つ装着されていることを検出し、同時に、スイッチ86がオンであることを検出したときは、その種類のカートリッジを用いた倍精度モードによる印字を実行する。倍精度モードの場合には、印字コントロール部80は、２倍の解像度の文字を格納したフォントＲＯＭ82および２倍の解像度のグラフィック・パターンを格納したディザＲＯＭ84からデータを受け取り、上段と下段のカートリッジに対して、インク吐出口ピッチの半分に相当する印字信号がタイミングをずらして送られるように、ヘッドドライバ87に印字信号を供給する。同時に、紙送りモータ88を、インク吐出口ピッチの半分だけ紙を送る動作と、印字行ピッチで紙を送る動作とを繰り返すように、駆動する。こうすることにより、２倍の解像度で印字できる。
【００４２】
　また、２つの異なる種類のカートリッジが装着されていることを検出したときは、印字モードは黒とカラーの混在モードとなる。ＬＥＤ１およびＬＥＤ２は、赤と緑の２色を選択的に発光する２色発光ダイオードを内蔵し、ＬＥＤ１は、上段に装着したカートリッジの種類が黒カートリッジのときに赤色発光し、マルチカラーカートリッジのときに緑色発光する。また、ＬＥＤ２は、下段に装着したカートリッジが黒カートリッジのときに赤色発光し、マルチカラーカートリッジのときに緑色発光する。なお、カートリッジの種類の検出方法は、前述の方法に限らず、他の方法でもよい。例えば、カートリッジの外形の違いや、カートリッジに設けられた検出用マーカー等を電気的あるいは磁気的あるいは光学的に検出しても良い。
【００４３】
　上記のように、本発明の実施例では、インクジェト記録装置を、第１のフレキシブルケーブルで、本体の制御回路とキャリッジ上の制御回路部とを電気的に接続し、第２のフレキシブルケーブルで、制御回路部とヘッド部とを電気的に接続する構成としたので、ヘッドとキャリッジとを全体として小型化することができるとともに、ヘッドの交換と共に廃棄されていた制御回路部を半永久的に使用することができ、ヘッドのコストを削減できる。
【産業上の利用可能性】
【００４４】
　本発明インクジェット記録装置は、情報機器の端末装置などに用いることができる。
【図面の簡単な説明】
【００４５】
【図１】本発明の実施例におけるインクジェット記録装置のキャリッジの正面図、
【図２】本発明の実施例におけるインクジェット記録装置の全体形状を示す構成図、
【図３】本発明の実施例におけるインクジェット記録装置の制御部のブロック図、
【図４】本発明の実施例におけるインクジェット記録装置の制御部による印字モードの制御パターンを示す図、
【図５】従来のインクジェットプリンタの全体構成図である。
【符号の説明】
【００４６】
Ｒ１,Ｒ２,Ｒ３,Ｒ４　検出用抵抗
　ＬＥＤ１,ＬＥＤ２　２色発光ダイオード
　　　　　　　　 １　キャリッジ
　　　　　　　11,12　カートリッジホルダ
　　　　　　　　 14　制御回路部
　　　　　　　15,18　フレキシブルケーブル
　　　　　　　16,17　コネクタ
　　　　　　　２,３　カートリッジ
　　　　　　　21,31　ヘッド部
　　　　　　　22,32　シャッタ
　　　　　　　23,33　インク吐出口群
　　　　　　　　 24　黒インク
　　　　　　　　 34　イエローインク
　　　　　　　　 35　マゼンタインク
　　　　　　　　 36　シアンインク
　　　　　　　　 ４　キャップホルダ
　　　　　　　42,43　キャップ
　　　　　　　　 44　インク受け
　　　　　　　　 ５　モータ
　　　　　　　　 51　ベルト
　　　　　　　61,62　シャフト
　　　　　　　　 ７　印字用紙
　　　　　　　　 80　印字コントロール部
　　　　　　　81,82　フォントＲＯＭ
　　　　　　　83,84　ディザＲＯＭ
　　　　　　　　 85　カートリッジ種類検出部
　　　　　　　　 86　切換スイッチ
　　　　　　　　 87　ヘッドドライバ
　　　　　　　　 88　紙送りモータ
【図１】
2004066836.tif 000003
【図２】
2004066836.tif 000004
【図３】
2004066836.tif 000005
【図４】
2004066836.tif 000006
【図５】
2004066836.tif 000007